(57)【要約】【課題】  小型で持ち運びが容易な、デザイン性に優れ、また、操作性の容易な携帯用ヘアードライヤを提供すること。【解決手段】  横断面が楕円形であり、縦断面の基本形体は斜辺が緩やかな膨らみを有する略直角三角形である外ケース１０を有し、前記外ケース１０内に熱風発生室１１とガスボンベ室１２とを一端で連結してＶ字型に配設した携帯用ヘアードライヤ。【選択図】      図３
2006025906.tif 000002
【特許請求の範囲】
【請求項１】
横断面が楕円形であり、縦断面の基本形体は斜辺が緩やかな膨らみを有する略直角三角形状の外ケースを有し、前記外ケース内に熱風発生室とガスボンベ室とを一端で連結してＶ字型に配設したことを特徴とする携帯用ヘアードライヤ。
【請求項２】
前記ガスボンベ室と熱風発生室との間に点火機構を配置したことを特徴とする請求項１に記載の携帯用ヘアードライヤ。
【請求項３】
前記熱風発生室には、前記Ｖ字型の一方の辺に沿って先端に吐風口、内部に熱源、該熱源の後方にファンを順に設け、前記ガスボンベ室は、Ｖ字型の他方の辺に沿って配置し、前記Ｖ字の２辺が交差する後部に吸気口を設けたことを特徴とする請求項１又は２に記載の携帯用ヘアードライヤ。
【請求項４】
前記熱風発生室及びガスボンベ室は円筒形であり、前記熱風発生室とガスボンベ室に挟まれた空間に電池収納部を設け、該電池収納部を覆う着脱自在な蓋を設けたことを特徴とする請求項１〜３の何れかに記載の携帯用ヘアードライヤ。
【請求項５】
前記点火機構は、第１ボタン及び第２ボタンを有し、前記第２ボタンは前記第１ボタンが復帰状態でなければ動作しないようになされており、前記第１ボタンの操作によりクランクレバーを介してガスバルブを「開」状態とすると共にファンを回転させ、その後、前記第２ボタンの操作により放電着火を行う構成としたことを特徴とする請求項２又は３に記載の携帯用ヘアードライヤ。
【請求項６】
前記点火機構は、さらにスライド式のつまみを備え、前記スライド式のつまみの下部の突起により、前記第１ボタン及び第２ボタンを操作するようにしたことを特徴とする請求項５に記載の携帯用ヘアードライヤ。
【請求項７】
前記外ケースの前記略直角三角形の斜辺を掌の受け部とし、前記Ｖ字の一方の辺と他方の辺の間に指の支えとなる窪み又は突起を設けたことを特徴とする請求項１〜３の何れかに記載の携帯用ヘアードライヤ。
【請求項８】
前記外ケースの斜辺の後端部近傍にストラップ取り付け手段を設けたことを特徴とする請求項１〜３の何れかに記載の携帯用ヘアードライヤ。
【発明の詳細な説明】
【技術分野】
【０００１】
この発明は、コードレスの携帯用ヘアードライヤに係り、詳しくは熱源としてガスを使用する小型でデザイン性に優れ、持運びが容易な携帯用ヘアードライヤに関する。
【背景技術】
【０００２】
ヘアードライヤの熱源として、電気ヒータに代えて、ボンベに充填したブタンガス等の液化石油ガスのガス燃焼を利用したヘアードライヤが開発され、既に市販されている。ガス燃焼を利用したヘアードライヤは、電気ヒータを用いたものに比べて、外部電源への接続が不要となり、したがってコードレスとなることから電源が入手できないところでも使用できるため、使用場所が制限されないことから広く使用されるようになってきている。
【０００３】
図８は、特許文献１に記載された携帯用ヘアードライヤの構成を示す断面図である。
【０００４】
ヘアードライヤ１０１の本体１０２のハウジングは、耐熱性の成型品により構成されたＬ字型をしている。本体１０２のハンドル内部には、燃料ガスを収納するガスボンベ１０３と蓄電池１２８と回転制御及び充電用電気回路１２９とガスボンベ１０３からの燃料ガス供給量を制御する制御部１１２が収納されている。本体１０２の温風発生部には、ガスボンベ１０３からのガス供給路の出口に位置するノズル１０４と、ノズル１０４の後方から温風吹き出し口１０５に向けて空気を供給する送風部１０６と、この送風部１０６によって送風される空気と燃料ガスをあらかじめ混合して混合気体を作る予混合部１０７と、この予混合部１０７によって混合された混合気体を所定の温度まで加熱する予熱部１０８と、この予熱部１０８で混合気体に点火する着火部１０９と予熱部１０８によって加熱された混合気体を触媒燃焼させる触媒燃焼部１１０と、この触媒燃焼部１１０での温度変化を検知する検知部１１１とこの検知部１１１での検知に応じて前記ノズル１０４の弁部の開閉を制御してガスボンベ１０３からの燃料ガス供給量を制御する制御部１１２とが設けられている。
【０００５】
また、図示はしないが、特許文献２に記載された携帯用ヘアードライヤにおいては、ガスボンベをＬ字型本体のハンドル内部ではなく、温風発生部の下に平行に取り付けたものが示されている。
【特許文献１】特開平５−１３７６１２号公報（段落［０００８］、図１、）
【特許文献２】特開平５−１３７６１３号公報（段落［０００８］、図１、）
【発明の開示】
【発明が解決しようとする課題】
【０００６】
しかしながら、特許文献１及び特許文献２の携帯用ヘアードライヤにおいては、ハウジングがガスボンベからノズルまでの配管のために固定されたＬ字型の外形をなしているため大型になりかさばって携帯に不便であることや、またかさばるためにバッグに無理に押し込むとバッグが破損するおそれもある。またその操作においては、ハンドルを握って温風発生部の他端を頭部の所定部分に向けようとしても、ハンドルの部分の動きが温風発生部の他端では増幅されてなかなか狙いどおりにならず、取り扱いが簡単でなく、このため使い勝手がよくないという問題があった。
【０００７】
なお、特許文献１及び特許文献２の携帯用ヘアードライヤの他に、図示はしないがハンドル部分を折りたたみ可能なＬ字型のハウジングにしたものもある。しかし、大型でかさばり携帯に不便であること、操作に難点があり使い勝手がよくないことにおいては、特許文献１及び特許文献２のものと同様の問題があった。
【０００８】
本願の発明者らは、前記の問題点を解決すべく種々検討を行った結果、携帯用ヘアードライヤのハウジングに着目し、従来のＬ字型の本体に配置収納する形態から、外ケースを横断面が楕円形であり、縦断面の基本形体は斜辺が緩やかな膨らみを有する略直角三角形とし、前記外ケース内に熱風発生室とガスボンベ室とを一端で連結してＶ字型に配設することによって、小型で出っ張りがなく、デザイン性と操作性に優れた携帯用ヘアードライヤが提供できることを見出し、本発明を完成するに至ったものである。
【０００９】
すなわち本発明は、小型で持ち運びが容易な、デザイン性にも優れた携帯用ヘアードライヤを提供することを目的とするものである。
【００１０】
また、本発明は、操作性の容易な携帯用ヘアードライヤを提供することを目的とするものである。
【課題を解決するための手段】
【００１１】
請求項１の発明に係る携帯用ヘアードライヤは、横断面が楕円形であり、縦断面の基本形体は斜辺が緩やかな膨らみを有する略直角三角形状の外ケースを有し、前記外ケース内に熱風発生室とガスボンベ室とを一端で連結してＶ字型に配設したことを特徴とする。
【００１２】
請求項２の発明は、請求項１に記載の携帯用ヘアードライヤに係り、前記ガスボンベ室と熱風発生室との間に点火機構を配置したことを特徴とする。
【００１３】
請求項３の発明は、請求項１又は２に記載の携帯用ヘアードライヤに係り、前記熱風発生室には、前記Ｖ字型の一方の辺に沿って先端に吐風口、内部に熱源、該熱源の後方にファンを順に設け、前記ガスボンベ室は、Ｖ字型の他方の辺に沿って配置し、前記Ｖ字の２辺が交差する後部に吸気口を設けたことを特徴とする。
【００１４】
請求項４の発明は、請求項１〜３の何れかに記載の携帯用ヘアードライヤに係り、前記熱風発生室及びガスボンベ室は円筒形であり、前記熱風発生室とガスボンベ室に挟まれた空間に電池収納部を設け、該電池収納部を覆う着脱自在な蓋を設けたことを特徴とする。
【００１５】
請求項５の発明は、請求項２又は３に記載の携帯用ヘアードライヤに係り、前記点火機構は、第１ボタン及び第２ボタンを有し、前記第２ボタンは前記第１ボタンが復帰状態でなければ動作しないようになされており、前記第１ボタンの操作によりクランクレバーを介してガスバルブを「開」状態とすると共にファンを回転させ、その後、前記第２ボタンの操作により放電着火を行う構成としたことを特徴とする。
【００１６】
請求項６の発明は、請求項５に記載の携帯用ヘアードライヤに係り、前記点火機構は、さらにスライド式のつまみを備え、前記スライド式のつまみの下部の突起により、前記第１ボタン及び第２ボタンを操作するようにしたことを特徴とする。
【００１７】
請求項７の発明は、請求項１〜３の何れかに記載の携帯用ヘアードライヤに係り、前記外ケースの前記略直角三角形の斜辺を掌の受け部とし、前記Ｖ字の一方の辺と他方の辺の間に指の支えとなる窪み又は突起を設けたことを特徴とする。
【００１８】
請求項８の発明は、請求項１〜３の何れかに記載の携帯用ヘアードライヤに係り、前記外ケースの斜辺の後端部近傍にストラップ取り付け手段を設けたことを特徴とする。
【発明の効果】
【００１９】
請求項１の発明によれば、小型で持ち運びが容易な、デザイン性に優れた携帯用ヘアードライヤが提供できる。すなわち、従来のヘアードライヤはＬ字型であるため、折りたたんだ際にも持ち手部分と温風の噴出部分との間に無駄なスペースができ、結果大型になりがちであったが、本発明ではＬ字型ではなく、持ち手部分と温風の噴出部分が一体となっているため、無駄なスペースができることなく、以って全体として小型化が実現できる。また、ハウジングがＬ字型の場合はハンドルが軸となって熱風の吐き出される先端が大きく振られるため手の動きを伝えにくいが、本発明は従来例のようなハンドルがないので、使用の際には髪の近くにドライヤ本体を保持できるし、手の動きを忠実に伝えやすく操作がしやすくなる。
【００２０】
請求項２の発明によれば、点火機構をガスボンベ室と熱風発生室との間に配置することにより、効率的なスペースの利用を行うことができるため小型化を容易に達成できるようになる。
【００２１】
請求項３の発明によれば、熱風発生室をはじめとする構成要素の合理的な配置ができることから小型化をより容易に達成できる。
【００２２】
請求項４の発明によれば、外ケース内の熱風発生室と円筒形のガスボンベ室に挟まれた空間に電池収納部を設け、電池収納部の前面には着脱自在な蓋を設けたので、前記Ｖ字の隙間は電池のスペースとして有効利用され、電池交換の際の出し入れも容易であり、携帯用ヘアードライヤの小型化が容易にできる。
【００２３】
請求項５の発明によれば、第２ボタンを第１ボタンの復帰状態時にのみ操作できるようにしたことにより安全な点火操作を行うことができるようになるほか、２つのボタンを操作することにより点火操作を行うことから、より確実にガスへの着火を行うことができるようになる。
【００２４】
請求項６の発明によれば、スライド式のつまみにより二重式の点火ボタンを制御することにより、容易に点火操作を行うことができるようになる。
【００２５】
請求項７の発明によれば、外ケースの略直角三角形の膨らませた斜辺を掌の受け部とし、前記Ｖ字の一方の辺と他方の辺の間に指の支えとなる窪み又は突起を設けたことにより、使用に際して操作性を高めることができるので、使い勝手のよい携帯用ヘアードライヤを提供できる。
【００２６】
請求項８の発明によれば、ヘアードライヤにストラップが付けられため、このストラップを手に絡めて持つことができ、携帯が便利になる。また、このストラップを手に絡めて持てばヘアードライヤ自体を落とすことがなくなり、ヘアードライヤの破損を防ぐことができる。
【発明を実施するための最良の形態】
【００２７】
以下、図面を参照して、本発明の最良の実施形態を説明する。ただし、以下に示す実施形態は、本発明の技術思想を具体化するための携帯用ヘアードライヤを例示するものであって、本発明をこの携帯用ヘアードライヤに特定することを意図するものではなく、特許請求の範囲に含まれるその他の実施形態のものにも等しく適用し得るものである。
【実施例１】
【００２８】
図１は、本発明に係る携帯用ヘアードライヤの一実施例の外観斜視図である。図２は、図１の携帯用ヘアードライヤの正面図である。図３は、同携帯用ヘアードライヤの内部配置の概要を説明する一部切り欠き断面図である。図４は、同携帯用ヘアードライヤのボンベカバーを外した内部を示す斜視図である。
【００２９】
本発明は、図１及び図２に示すように、携帯用ヘアードライヤ１の外ケース１０を横断面が楕円形、縦断面の基本形体は斜辺が緩やかな膨らみを有する略直角三角形形状とし、外ケース１０の内部に熱風発生室１１とガスボンベ室１２とを一端で連結してＶ字型に配置収納することによって、小型で出っ張りがなく、デザイン性と操作性が優れている携帯用ヘアードライヤを提供しようとするものである。
【００３０】
携帯用ヘアードライヤ１の外ケース１０は、耐熱性の成型品やステンレス・スチールなどにより構成され、図２に示すように横断面の輪郭が略楕円形である。また、外ケース１０の縦断面の基本形体は図３に示すように略直角三角形であるが、特にその斜辺１０ｈが緩やかな膨らみを有して大きく変形し、また略直角三角形の頂点付近１０ｓは丸められて滑らかな円形ドーム形状となっている。外ケース１０の側面にはスライドつまみ２６の一部が僅かに出ているだけで、全体として滑らかな形態をしている。外ケース１０は、本体１０ａ、ボンベカバー１０ｂ、後部カバー１０ｃから構成されており、楕円形の輪郭を有する外ケース正面の上部には、熱風を吹き出す吐風口１４が開口している。また、斜辺１０ｈの後端近くにはストラップ取り付け手段４０が設けてあり、本体１０ａの側面の一部は保持を容易にするための窪み又は突起１０ｆが形成されている。ちなみに、図１の携帯用ヘアードライヤ１は、ボンベカバー１０ｂに比べて吐風口１４が若干前面に突出しているが、このようなものも基本形体は略直角三角形であり、他にも例えばボンベカバー１０ｂが背面方向に傾斜しているもの等も考えられる。
【００３１】
この外ケース１０の内部には、図３に示すように、熱風発生室１１をガスボンベ室１２と一端で連結してＶ字型となるように配置している。すなわち、Ｖ字の一方の辺には円筒形に形成された熱風発生室１１が配置され、熱風発生室１１の先端に外部に熱風を吹き出す吐風口１４が位置し、その内部には、図示しないが触媒燃焼部などガス燃焼室とバーナーなどの熱源、さらには熱源の後方には送風室１５を設け、風を送るファンモータ１５ａとファン１５ｂを設けている。Ｖ字の他方の辺には円筒形のガスボンベ室１２を設け、ガスボンベ室１２にはプロパン、ブタンなどの燃料ガスを充填したガスボンベ１３が着脱自由に装着される。
【００３２】
熱風発生室１１とガスボンベ室１２との間にはガスの点火機構２０が収納され、Ｖ字の２辺が接触する後部カバー１０ｃには外気を導入するため複数の孔からなる吸気口１８を設けている。点火機構２０は、電池収納部２１に装着された電池とマイクロスイッチ２２を含むファンの回転制御用電気回路と、ガスボンベ室１２に装着したガスボンベ１３からの燃料ガス供給量を制御するバルブ２３、火花放電用の圧電セラミック素子２４及び点火プラグ２５からなり、圧電セラミック素子２４に高電圧を発生させるためのスライドつまみ２６が外ケースの側壁面に設けてあり、後述するように二重式の押しボタンで作動する。圧電セラミック素子２４は点火プラグに接続されて一方の放電電極を形成する。放電電極のもう一方の電極は、熱風発生室１１の外周部に設けられており、圧電セラミック素子２４と電線により接続されている。なお、図３においては、ガスボンベ１３、バルブ２３及び熱風発生室１１のノズル相互間の配管や電線の接続は図示を省略してある。
【００３３】
熱風発生室１１の内部には、ガスボンベ１３からバルブ２３を介したガス供給路の中継パイプの出口に位置するノズルがあり、ノズルの後方から吐風口１４に向けて空気を供給する送風ファン１５ｂによって送風される空気と燃料ガスを混合して混合気体を作る混合部と、混合気体を所定の温度まで加熱する予熱部と、予熱部で混合気体に点火する着火部と、予熱部によって加熱された混合気体を燃焼させるバーナーや触媒燃焼部などのガス燃焼室が構成する熱源及び放熱フィンなどが設けられている。触媒燃焼部は担体として多孔質のコーディエライトやアルミナなどのセラミックスや金属板が、触媒としては白金やパラジウムなどが用いられる。
【００３４】
バルブ２３は、ガスボンベ１３のガスが供給される熱風発生室１１のノズルにつながる中継パイプの途中に位置している。バルブ２３は、その弁の開閉を制御してガスボンベ１３からの燃料ガス供給量を制御する。バルブ２３の周辺部に設けられたクランクレバー２７の掛止片に弁開閉機構を構成するバルブシャフト２３ａが係止されている。このバルブシャフト２３ａが矢印の方向に移動することにより、ばねの弾性力に抗してバルブシャフト２３ａはバルブから引き出される。このときバルブ２３の後端部に形成された制御弁の絞り口の開口面積が増大してガスの供給を増加させる。また、中継パイプの先端に設けたノズルは、ガスボンベ１３内のガスが気化されたガスを図示しない混合部に噴射させる。予熱部は触媒燃焼を促進するために、混合気体を所定の温度にまで加熱する部分であり、触媒燃焼部の外周を覆うとともに一端が混合部まで延設された余熱フィンと熱源の出口を覆う通気性のある網目状ネットで構成されている。混合され予熱したガスは、圧電セラミック素子２４の加圧放電により着火、燃焼される。
【００３５】
送風室１５はファン１５ｂとファンモータ１５ａとからなり、ガスと空気を一定の割合に混合するよう混合部に所要の空気量を送る。
【００３６】
ボンベカバー１０ｂを外して携帯用ヘアードライヤ１の内部を示した図４を参照すると、ファンモータ１５ａの駆動用電源である電池収納部２１は、外ケース１０内の円筒形の熱風発生室１１と同じく円筒形のガスボンベ室１２に挟まれた空間に設けられている。Ｖ字を構成する一方の辺と他方の辺の中間の隙間に電池収納部２１を設けると、前記熱風発生室１１とガスボンベ１２とに挟まれた隙間は電池の収納スペースとして有効利用され、携帯用ヘアードライヤを小型にできる。さらに、電池収納部２１の前面には着脱自在な蓋１７を設けたので、電池交換の際の電池の出し入れが容易となる。ボンベカバー１０ｂの脱着は、ロックボタン１０ｄを押して引っ張ることにより、溝１６をスライドさせて外すことができ、溝１６に嵌め込んで、スライドさせながら押し込むことにより装着できるようになっている。なお、１０ｅはボンベカバー１０ｂの他方のロックボタンである。
【実施例２】
【００３７】
次に、本発明の携帯用ヘアードライヤの他の実施例の点火機構２０を説明する。図５は、他の実施例における内部構造を示す一部切り欠き斜視図である。図６は、図５における点火機構の主要部の構成を説明する斜視図であり、図７は、図６の点火機構の主要部の動作説明図である。
【００３８】
このヘアードライヤの点火機構２０は図３のものと構成部材と部材の配置等が若干異なるが基本的構成は同じであるので、図３のものと同じ部材には同じ記号を用いて説明する。
【００３９】
本実施例による点火は、バルブ２３を「開」状態とする第１ボタン２８と、この「開」状態において放電着火する第２ボタン２９との二重式となっており、確実に着火を行うことができる。
【００４０】
まず、点火機構２０が点火前のノーマル位置、すなわち両ボタンが共に押し下げられていない状態にあるときは、図６に示すようになっている。
【００４１】
押し下げを規制するシャフト３０は図面で左側に位置している。この位置ではシャフト３０の右端が第２ボタン２９の切り欠き２９ａから離れ、第２ボタンがフリーとなっている。このときマイクロスイッチ２２はオフであるためファン１５ｂは静止状態にあり、また、ガスバルブ２３は、クランクレバー２７が図面で左側位置にあり「閉」状態となっている。
【００４２】
第２ボタン２９は、第１ボタン２８が上昇位置でなければシャフト３０が制止することにより押し下げできないので、圧電セラミック素子２４を加圧できず、着火できない。また、もし第１ボタン２８を操作せずに第２ボタン２９を直接押し下げたとしても着火用の火花は出るが、生ガスが出ていないので着火しない。ちなみに第１ボタン２８は、内装したスプリング（図示省略）により常時押し上げ保持されている。
【００４３】
点火機構の着火時の動作を図７を参照して説明すると、以下のとおりである。
【００４４】
第１ボタン２８を押し下げると第１ボタン２８のアーム３１の右端がシャフト３０の左端を押さえ、アーム３１の上下の動きをシャフト３０の図７の右方向への動きに変換し、シャフト３０の右端を第２ボタン下部の切り欠き２９ａに挿入する。第１ボタン２８は押し下げの際、同時に作動子２８ａでマイクロスイッチ２２のスイッチレバー２２ａを押して電源をファンモータ１５ａに供給し、ファン１５ｂを回転させる。ちなみに第１ボタン２８を押し下げている間はシャフト３０に規制されて第２ボタン２９を押し下げることができない。
【００４５】
第１ボタン２８の押し下げに伴い、クランクレバー２７が回転動作して、その係合片２７ａがバルブ２３のシャフト２３ａを移動させてガスバルブ２３を「開」状態とする。クランクレバー２７のホールドバルブ３３との係合片３３ｂはホールドバルブ３３を駆動し、ガスバルブ２３を「開」状態に保持する。第１ボタン２８が復帰し、アーム３１に押されていたシャフト３０がバネの弾力で左側に戻り、第２ボタン２９が押し下げ可能になる。この状態で第２ボタン２９を操作し圧電セラミック素子２４を圧迫し、放電着火を行う。第２ボタン２９の操作によって点火プラグ２５に火花が発生し、熱風発生室１１に噴出する混合ガスに着火されてガスが燃焼する。その後は、回路基板３２のマイコン（図示せず）によりホールドバルブ３３を「開」状態に維持しガスを連続燃焼させる。
【００４６】
上記他の実施例においては、２つのボタンを独立に操作して温風を発生させたが、上記第１実施例で使用されるスライドつまみ２６も、以上に述べた第１ボタン２８と第２ボタン２９に連関した一連の作用を、スライドつまみ２６をスライド移動させることによって誤動作することなく温風を発生させることができる。
【００４７】
また、本発明の携帯用ヘアードライヤにおいては、外ケース１０の略直角三角形の斜辺１０ｈを掌の受け部とし、外ケース側面の中心部付近に指の支えとなる窪み又は突起１０ｆを設ける。このようにすれば、外ケースを確実に把握することができ、使用に際して操作性を高めることができる。また、従来例のようにドライヤの形状がＬ字型の場合はハンドルが軸となって熱風の吐き出される先端が大きく振られるので手の動きを伝えにくいが、ハンドルがないので、使用の際には本体を髪の近くに保持できるし、水平でも、斜めでも、左右にどのような形でも手の動きを忠実に伝えやすく操作しやすい。
【００４８】
さらに、本発明の携帯用ヘアードライヤにおいては、外ケースの斜辺１０ｈ後端部の吸気口近傍にストラップ取り付け手段を設ける。すなわち、外ケースの後部近傍にハンドストラップリング４０を設けている。図５のように、ストラップ４１が付けられると手に絡めて持つことができるので携帯に便利であり、また、吊り下げの紐を手に絡めて持つと、ヘアードライヤ本体を落とすことがなくなり、ヘアードライヤの破損を防ぐことができる。
【００４９】
なお、上記実施例においては熱風発生室１１を円筒形として説明したが、外ケース１０の外形と他の構成要素のケース内における配置に従って他の形態に設計することは容易であり、自由に変形できる。また、ガスボンベ室にはボンベを装着するのでなく、プロパン、ブタン等のＬＰガスなどの燃料ガスを充填貯蔵できる容器が外ケースに固定されていて、ガスが充填できるようになっていてもよい。
【図面の簡単な説明】
【００５０】
【図１】図１は、本発明に係る携帯用ヘアードライヤの一実施例の外観斜視図である。
【図２】図２は、図１の携帯用ヘアードライヤの正面図である。
【図３】図３は、図１の携帯用ヘアードライヤの内部配置の概要を説明する一部切り欠き断面図である。
【図４】図４は、図１の携帯用ヘアードライヤのボンベカバーをはずして内部を示す斜視図である。
【図５】図５は、他の実施例における内部構造を示す一部切り欠き斜視図である。
【図６】図６は、図５における点火機構の主要部の構成を説明する要部拡大斜視図である。
【図７】図７は、図６の点火機構の主要部の動作を説明するための要部拡大斜視図である。
【図８】図８は、特許文献１に記載の携帯用ヘアードライヤの構成を示す断面図である。
【符号の説明】
【００５１】
１        携帯用ヘアードライヤ
１０        外ケース
１０ｆ      窪み又は突起
１１        熱風発生室
１２        ガスボンベ室
１３        ガスボンベ
１４        吐風口
１５        送風室
１５ａ      ファンモータ
１５ｂ      ファン
１６        溝
１７        電池収納部の蓋
１８        吸気口
２０        点火機構
２１        電池収納部
２２        マイクロスイッチ
２３        バルブ
２３ａ      バルブシャフト
２４        圧電セラミック素子
２５        点火プラグ
２６        スライドつまみ
２７        クランクレバー
２８        第１ボタン
２９        第２ボタン
３０        シャフト
３１        アーム
【図１】
2006025906.tif 000003
【図２】
2006025906.tif 000004
【図３】
2006025906.tif 000005
【図４】
2006025906.tif 000006
【図５】
2006025906.tif 000007
【図６】
2006025906.tif 000008
【図７】
2006025906.tif 000009
【図８】
2006025906.tif 000010